(57)【要約】【課題】赤ちゃんの沐浴が終わったあと、沐浴をさせている者の衣服まで濡れる事が多く、バスタオルで赤ちゃんの体拭く際も片手でしなくてはいけないことも多々有り、とても困難な上赤ちゃんを落下させる危険もあった。【解決手段】赤ちゃんを包むタオルを着用することができるエプロン型にし、沐浴を終えた赤ちゃんを抱き上げた際、ある程度の水気を取るために素材をパイルやリネンなど吸水性の良いものにする。また、赤ちゃんをスムーズにタオルに包む準備ができるようエプロンの腰部分にマジックテープaを設ける。マジックテープaを外したら赤ちゃんを安全に抱いたままそのまま反転させ、袖ｃで赤ちゃんの頭部の水気を簡単に取り、エプロンの表側ｃで赤ちゃんを包む。【選択図】図１
2006026054.tif 000002
【特許請求の範囲】
【請求項１】
腰部分に容易に外せるマジックテープを設けた、衣服の上から着用できるエプロンの形状をしたタオルであることを特徴とする赤ちゃんの沐浴用エプロン型タオル。
【請求項２】
前記エプロンの形状は簡単に脱ぎ着がしやすいよう片袖とし、右利きでも左利きでも使えるよう前後を同型であることを特徴とする赤ちゃんの沐浴用エプロン型タオル。
【請求項３】
前記マジックテープは、はずした後、反転させてエプロンの表側で赤ちゃんを包むことを特徴とする請求項１記載の赤ちゃんの沐浴用エプロン型タオル。
【発明の詳細な説明】
【技術分野】
【０００１】
この発明は、赤ちゃんをベビーバスにて沐浴させる際に用いるタオルの形状に関する。
【背景技術】
【０００２】
従来の沐浴を終え浴槽から上がって来た赤ちゃんの体を拭くタオルの形状は赤ちゃんを充分に包むことができる大きさの長方形であり、湯から上がってきた赤ちゃんを拭く時のみ使われる。                                      
【発明の開示】
【発明が解決しようとする課題】
【０００３】
しかしながら、以上の技術によれば、濡れた赤ちゃんを湯船から抱き上げた際や沐浴中に飛ぶ恐れがあるお湯などで赤ちゃんを湯に入れている者の衣服を濡らしてしまう。又、赤子の沐浴は一人で行うことが多い為、長方形状の大判タオルを一旦広げてからお湯から上がった赤ちゃんを包むのも容易ではない。片手で赤ちゃんを抱き、もう片手で赤ちゃんをタオルで包もうとした際、落下の危険も生じる。そこで、この発明は、衣服の上から着用することが可能なので、赤ちゃんの沐浴の際赤ちゃんを入れている者の衣服を濡らすことも無く、尚且つ安全でスムーズに沐浴を行うことができるエプロン状のタオルを提供することを課題とする。  
【課題を解決するための手段】
【０００４】
以上の課題を解決するために、第一発明は、湯船から上がってきた赤ちゃんを包むタオルは、沐浴をさせている者の衣服を濡らしてしまわないようエプロン型にすることを特徴とする。また、簡単に脱ぐことができるよう腰部分にマジックテープを設けたことを特徴とする赤ちゃんの沐浴用エプロン型タオルである。第二の発明は簡単に脱ぎ着がしやすいようエプロンの形状を片袖とし、使用する者の利き腕が左右どちらでも安全に沐浴が終えられるよう、前後どちらを前にしても使えるように前後同型にすることを特徴とする、赤ちゃんの沐浴用エプロンタオルである。第三の発明は、エプロンの腰部分についているマジックテープをはずした後、赤ちゃんを抱いたままスムーズにエプロンを反転させることで、安全に且つ迅速にエプロンの表側で赤ちゃんを包める事を特徴とする。
【発明の効果】
【０００５】
第一発明によれば沐浴後の濡れた赤ちゃんの体を包むタオルの形状をエプロ
ン型にすることで着用することができ、沐浴をさせている者の衣服が濡れるのを防ぐことができる。また、腰部分のマジックテープは片手で簡単にはずす事ができるので、沐浴が終了したら片手でも安全に且つスムーズに赤ちゃんをタオルに包む準備ができる。第二の発明によればエプロンの形状を片袖にすることで、沐浴を終えた赤ちゃんを抱き上げた際、赤子の頭が乗っている状態であるエプロン着用者の袖部分で自然に赤ちゃんの頭の水気を吸収させることができる。右利きの人も左利きの人も使いやすいよう、前後どちらを前にしても使えるように前後を同型にすることを特徴とし、袖の長さは沐浴の邪魔にならないよう５部丈未満する。また、第三発明によれば前記マジックテープをはずした後はエプロンの表側を使い、反転させて赤ちゃんを包むだけなので、片手のみでも落下の危険にさらす事もなく、安定した状態で赤ちゃんを抱いたまま迅速にタオルに包むことができる。    
【発明を実施するための最良の形態】
【０００６】
この発明の一実施形態を、図１に示す。
赤ちゃんの沐浴用エプロンの本体１の素材は吸水性に優れたパイルやリネン製であり、この本体１の腰部分にはマジックテープaが設けられており片手でも簡単にエプロンを脱ぐことができるようになっている。前記マジックテープaをはずした後、反転させてエプロンの表側bで赤ちゃんを包み使用する。また、本体1の形状は簡単に脱ぎ着がしやすいよう片袖のみとし、右利きの人も左利きの人も使いやすいよう、前後どちらを前にしても使えるように前後を同型にする。袖の長さは沐浴の際に邪魔にならないよう５部丈未満とするが、本体１を着用し沐浴を終えた赤ちゃんを抱いた際、袖cに赤子の頭を乗せられる程度の長さは確保する。本体１の総丈は、沐浴を終えた赤ちゃんをひざの上に置ける程度の長さとする。
【０００７】
「実施形態の効果」
この実施形態によれば、マジックテープaの働きで赤ちゃんを抱いたままでも容易に脱ぐことができる。本体１の素材が吸水性の良いタオル地等なので図２のように沐浴を終えた赤ちゃんを抱き上げた際、抱いただけである程度簡単に赤ちゃんの体の水気を吸水させる事ができる。本体１の形状が片袖であるのではずした際に赤ちゃんを包むには充分な大きさになり、片手でも赤子を包みやすい図４の状態になる。図４の状態から赤ちゃんを抱いている者が体を傾けたりすることで軽い遠心力を起こし、そのまま本体１の表側bで赤ちゃんを
包むことで赤ちゃんの体の水気を全体的に取り除く。よって滑って赤ちゃんを落としたりする危険性や湯冷めの心配も無く安全に且つ迅速に沐浴を終えることができる。
【０００８】
「他の実施形態」
図１の実施携帯では、腰部分に容易にはずせるマジックテープaとあるが他の実施形態では、ボタンを設けたものでも良い。
【図面の簡単な説明】
【０００９】
【図１】本考案の赤ちゃんの沐浴エプロンを広げた状態の斜視図である。
【図２】この発明品の着用状態を示す斜視図である。
【図３】赤ちゃんの沐浴エプロンを身に着け沐浴を終えたばかりの赤ちゃんを抱きかかえた時の状態を示す斜視図である。
【図４】赤ちゃんの沐浴エプロンを身に着け、赤ちゃんを抱いたまま腰部分のマジックテープaを外した状態を示す斜視図である。
【図５】赤ちゃんの沐浴エプロンを身に着け、マジックテープaを外しエプロンの表側ｂを反転させて使う際、エプロンを広げた状態を示す斜視図である。このまま表側ｂで赤ちゃんを包む。
【符号の説明】
【００１０】
a  エプロンを留めるマジックテープ            
b  赤ちゃんの沐浴用エプロン型タオルの表面。
c  赤ちゃんの頭を乗せる赤ちゃんの沐浴用エプロン型タオルの袖。
【図１】
2006026054.tif 000003
【図２】
2006026054.tif 000004
【図３】
2006026054.tif 000005
【図４】
2006026054.tif 000006
【図５】
2006026054.tif 000007